(57)【要約】      （修正有）【課題】発射ハンドルのカバー体の外れを低減する遊技機を提供する。【解決手段】ハンドル基部２０に備えられた受け部３５〜３７に対し、カバー体５０に備えられたボス部５５〜５７とをビス孔３５ａ〜３７ａ，５５ａ〜５７ａを一致させる様に位置決めした状態で受け部３５〜３７とボス部５５〜５７とをビスｂｓ４で固定することにより、ハンドル基部２０に対するカバー体５０の取り付けを行う。この際、カバー体５０とハンドル基部２０とを相対的に回動させることにより、開口部３５ｃ〜３７ｃと係止部５５ｃ〜５７ｃとを係合させつつ受け部３５〜３７に対してボス部５５〜５７の位置決めを行う。【選択図】図８
2017055900.tif 000002
【特許請求の範囲】
【請求項１】
前面枠に固定されるハンドル基部の前端部に回動可能に組み付けた回転操作体の前面側を塞ぐカバー体を取り付けた発射ハンドルを備える遊技機であって、さらに、以下の構成をも備えることを特徴とする遊技機。
（１Ａ）前記ハンドル基部に備えられた受け部に対し、前記カバー体に備えられたボス部の先端を位置決めした状態で前記受け部と前記ボス部とを固定部材で固定することにより、前記ハンドル基部に対する前記カバー体の取り付けを行う様に構成されていること。
（１Ｂ）前記受け部は所定方向に貫通する開口部を備え、前記ボス部は前記所定方向に突出する係止部を備え、前記カバー体と前記ハンドル基部とを相対的に回動させることにより、前記開口部と前記係止部とを係合させつつ前記受け部に対して前記ボス部の位置決めを行い得る様に構成されていること。
【請求項２】
さらに、以下の構成をも備えていることを特徴とする請求項１に記載の遊技機。
（２）前記開口部は四方を取り囲まれる様に開口されていること。
【請求項３】
さらに、以下の構成をも備えていることを特徴とする請求項１又は２に記載の遊技機。
（３）前記ハンドル基部には前記受け部が複数個備えられ、前記カバー体には前記ボス部が複数個備えられると共に、前記各受け部は前記ハンドル基部の周方向に対して同じ方向に向かって開いた円弧状壁部を有すると共に該円弧状壁部に前記開口部が形成され、前記各ボス部には、前記円弧状壁部の開いた方向に対向して前記周方向に対して同じ方向に突出する様に前記係止部が備えられていること。
【請求項４】
さらに、以下の構成をも備えていることを特徴とする請求項３に記載の遊技機。
（４）前記複数のボス部の内の少なくとも一部は、前記係止部の根元に前記円弧状壁部の前記周方向の端部に当接し得る段部を備えていること。
【発明の詳細な説明】
【技術分野】
【０００１】
本発明は、遊技機に係り、特に発射ハンドルの構造に関する。
【背景技術】
【０００２】
従来より、遊技機に備えられる発射ハンドルとして、前面枠セットに固定されたハンドル基部に対して回動可能に組付けられた回転操作体の前面側を塞ぐカバー体を取り付けたものが知られている。このカバー体として、遊技者の手のひらに沿う様にお椀型に成形された合成樹脂製のものが採用されることが多い（例えば、特許文献１）。
【０００３】
特許文献１には、お椀型の内面から後方に複数本のカバーボスを突出形成した半球状のカバー体を採用し、回転操作体をハンドル基部の前端部に回動可能に組み付ける際に回転操作体の開口部に挿通したハンドル基部側の複数本の取付ボスのそれぞれに対し、各カバーボスの後端部を挿入した後、取付ボスの後面側からねじで固定することによって組み立てられる構造とされた発射ハンドルが記載されている。
【先行技術文献】
【特許文献】
【０００４】
【特許文献１】特開２０１４−２３０９６４（００８０〜００９０、図７〜図９）
【発明の概要】
【発明が解決しようとする課題】
【０００５】
ここで、発射ハンドルには、発射に伴う振動等が加わる。従来の遊技機では、こうした振動等によってハンドル基部に対してカバーを固定しているねじが緩んで外れてしまうといった不具合が発生する場合があった。
【０００６】
そこで、本発明は、遊技機におけるこの種の不具合を低減することを目的とする。
【課題を解決するための手段】
【０００７】
かかる目的を達成するためになされた本発明の遊技機は、前面枠に固定されるハンドル基部の前端部に回動可能に組み付けた回転操作体の前面側を塞ぐカバー体を取り付けた発射ハンドルを備える遊技機であって、さらに、以下の構成をも備えることを特徴とする。
（１Ａ）前記ハンドル基部に備えられた受け部に対し、前記カバー体に備えられたボス部の先端を位置決めした状態で前記受け部と前記ボス部とを固定部材で固定することにより、前記ハンドル基部に対する前記カバー体の取り付けを行う様に構成されていること。
（１Ｂ）前記受け部は所定方向に貫通する開口部を備え、前記ボス部は前記所定方向に突出する係止部を備え、前記カバー体と前記ハンドル基部とを相対的に回動させることにより、前記開口部と前記係止部とを係合させつつ前記受け部に対して前記ボス部の位置決めを行い得る様に構成されていること。
【０００８】
本発明の遊技機によれば、カバー体とハンドル基部とは、相対的な回動により、係止部を開口部に係合させて位置決め状態とし、固定部材による固定を行うから、固定部材に緩みが生じたとしても、係止部と開口部との係合により、ボス部が受け部から抜けてしまうことがなく、カバー体の脱落を有効に防止することができる。
【０００９】
ここで、本発明の遊技機は、さらに、以下の構成をも備えるとよい。
（２）前記開口部は四方を取り囲まれる様に開口されていること。
【００１０】
開口部が四方を取り囲まれる様に、例えば、ロの字型の開口として形成されているから、係止部は開口部に刺さる様な係合状態となる。従って、固定部材が緩んでカバー体に横方向のズレを生じさせる様な力が加わったとしても、係合が外れ難く、上述のカバー体脱落防止作用をより確実に発揮することができる。
【００１１】
これら本発明の遊技機は、さらに、以下の構成をも備えるとよい。
（３）前記ハンドル基部には前記受け部が複数個備えられ、前記カバー体には前記ボス部が複数個備えられると共に、前記各受け部は前記ハンドル基部の周方向に対して同じ方向に向かって開いた円弧状壁部を有すると共に該円弧状壁部に前記開口部が形成され、前記各ボス部には、前記円弧状壁部の開いた方向に対向して前記周方向に対して同じ方向に突出する様に前記係止部が備えられていること。
【００１２】
複数個の受け部と複数個のボス部とを備えるから、カバー体とハンドル基部とを周方向複数箇所で固定することができる。また、各受け部はハンドル基部の周方向に対して同じ方向に開いた円弧状壁部を備え、各ボス部は円弧状壁部の開いた方向に対向して周方向に対して同じ方向に突出する様に係止部が形成されているから、ハンドル基部とカバー体とを相対的に回動させるだけで複数箇所での開口部と係止部との係合を行わせることができる。
【００１３】
この場合、さらに、以下の構成をも備えるとよい。
（４）前記複数のボス部の内の少なくとも一部は、前記係止部の根元に前記円弧状壁部の前記周方向の端部に当接し得る段部を備えていること。
【００１４】
円弧状壁部の端部に段部を当接させることにより、位置決めを容易かつ正確に実施することができる。
【発明の効果】
【００１５】
本発明によれば、発射ハンドルのカバー体の外れといった不具合を低減することができる。
【図面の簡単な説明】
【００１６】
【図１】実施例１のパチンコ機を示し、（Ａ）は斜視図、（Ｂ）は正面図、（Ｃ）は分解斜視図である。
【図２】実施例１のパチンコ機が備える発射ハンドルの分解斜視図である。
【図３】実施例１のパチンコ機が備える発射ハンドルのハンドル基部を示し、（Ａ）は分解斜視図、（Ｂ）は右側面図、（Ｃ）は要部拡大断面図と共に示す正面図である。
【図４】実施例１のパチンコ機が備える発射ハンドルにおいて、ハンドル基部に回転操作体を取り付けた状態を示し、（Ａ）は正面図、（Ｂ）は斜視図である。
【図５】実施例１のパチンコ機が備える発射ハンドルのカバー体を示し、（Ａ）は分解斜視図、（Ｂ）は正面右側から見た斜視図、（Ｃ）は背面右側から見た斜視図、（Ｄ）は断面図である。
【図６】実施例１のパチンコ機が備える発射ハンドルのカバー体を示し、（Ａ）は前カバーとインナーベースの固定前の状態を背面右側から見た斜視図、（Ｂ）は前カバーとインナーベースの固定後の状態を背面右側から見た斜視図、（Ｃ）は（Ａ）の状態に対応する断面図、（Ｄ）は（Ｂ）の状態に対応する断面図、（Ｅ）は下部をネジ止めする様子を示す前方から見た斜視図である。
【図７】実施例１のパチンコ機が備える発射ハンドルのカバー体を、要部の拡大背面図及び拡大断面図と共に示す背面図である。
【図８】実施例１のパチンコ機が備える発射ハンドルにおいて、ハンドル基部にカバー体を取り付ける様子を示し、（Ａ）は前方から見た斜視図、（Ｂ）は後方から見た斜視図、（Ｃ）は位置決めしつつ係合させる様子を示す要部の拡大断面図、（Ｄ）はネジ止め固定した様子を示す要部の拡大断面図である。
【発明を実施するための形態】
【００１７】
以下、本発明の実施形態として、具体的な実施例を図面に基づき詳細に説明する。
【実施例１】
【００１８】
［１  遊技機全体の概要］
実施例１のパチンコ機Ｐは、図１に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、液晶表示装置ＬＣＤや可動体役物２Ａ，２Ｂなどが取り付けられた裏ユニット３を裏面に取り付けた状態で、中枠Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されている。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。図示の様に、打球発射装置Ｇ（発射ハンドル１０）が取り付けられる部分は、外枠Ａと共にパチンコ機Ｐにおける前面枠を構成している。
【００１９】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００２０】
打球発射装置Ｇは、発射ハンドル１０と、中枠Ｂの裏面に設置される駆動部及び制御部（いずれも図示略）とから構成される。駆動部は、ロータリーソレノイドの回動軸の後端に連結された打球杆を備え、制御部は、発射ハンドル１０の操作状態に基づいて、ロータリーソレノイド等への入出力制御(ハード的制御並びにソフト的制御)を行う。
【００２１】
［２  発射ハンドルの構成］
発射ハンドル１０は、図２の分解斜視図に示す部品を組み立てて構成され、大きく分けて、ハンドル基部２０と、ハンドル基部２０の前端部に回動可能に組み付けた回転操作体４０と、回転操作体４０の前面側を塞ぐカバー体５０と、を備えるものとなっている。
【００２２】
ハンドル基部２０は、円筒部２１の前端にかさ状に広がる拡大部２２を備える外形形状を呈し、合成樹脂成形品によって構成されている。円筒部２１には、後端側から可変抵抗器２３が収納されると共に、後端を塞ぐ様に裏当てプレート２４が取り付けられる。
【００２３】
図２，図３（Ａ）に示す様に、ハンドル基部２０の拡大部２２の所定位置には、操作片２５、Ｌ字金具２６、タッチ感知センサＳＥ、発射停止スイッチＳＷが組み付けられ、さらに、アース線２７がビスｂｓ１，ｂｓ１で所定位置に取り付けられ、前方からカバー部材２８で覆われる。また、可変抵抗器２３のボリューム軸２３ａは、拡大部２２の中央の円形孔３１から先端を突き出す様にセットされ、平ワッシャ形状の硬質ゴム部品３２、平ワッシャ３３、及び締め付けナット３４で固定される。平ワッシャ３３と円形孔３１の前端面との間に硬質ゴム部品３２を挟み込ませることで、ボリューム軸２３ａに掛かる余分な負荷を軽減し、軸折れを防止する。なお、硬質ゴム部品３２を挟み込むことにより締め付けナット３４のトルクが弱くなることがない様に、締め付けナット３４にはロック剤を塗布する。
【００２４】
図２，図３に示す様に、ハンドル基部２０の拡大部２２には、上側に２個、下側に１個の受け部３５〜３７が備えられている。各受け部３５〜３７は、図３（Ｃ）の拡大断面図に示す様に、ビス孔３５ａ〜３７ａと、円弧状壁部３５ｂ〜３７ｂと、開口部３５ｃ〜３７ｃとを備えている。開口部３５ｃ〜３７ｃは、円弧状壁部３５ｂ〜３７ｂの中央部に四方を取り囲まれる様に開口されている。また、円弧状壁部３５ｂ〜３７ｂは、ハンドル基部２０の周方向に対して同じ方向に向かって開いたものとなっている。また、図３（Ｂ）に二点鎖線で示す様に、受け部３５〜３７の先端位置は互いに一致する様に構成されている。なお、拡大部２２には、さらに、ねじりバネ固定軸３８も突設されている。
【００２５】
ハンドル基部２０の前端部には、図４（Ａ）に示す様に、回転操作体４０が回動可能に組み付けられる。回転操作体４０は、図２，図４に示す様に、指掛け部４１ａ〜４１ｃを備えるリング状部材４２からなる。リング状部材４２には、外周部に円弧状開口部４３，４４が開口された仕切板４５が備えられている。仕切板４５の中央にはボリューム軸嵌合部４６が備えられている。また、ボリューム軸嵌合部４６の周囲に円弧状の内側開口部４７が開口されている。ボリューム軸嵌合部４６には、ハンドル基部２０の後端側から収納した可変抵抗器２３のボリューム軸２３ａが嵌合される。また、図４に示す様に、ハンドル基部２０の拡大部２２に突設したねじりバネ固定軸３８が、内側開口部４７から突出した状態となる。ねじりバネ４８は、ビスｂｓ２，ｂｓ２により、一端を仕切板４５に、他端をねじりバネ固定軸３８に、それぞれ固定される。
【００２６】
こうして、回転操作体４０は、ハンドル基部２０の前端部に回動可能な状態に取り付けられる。この際、回転操作体４０は、ハンドル基部２０の上側の受け部３５，３６が円弧状開口部４３から先端を突き出し、ハンドル基部の下側の受け部３７が円弧状開口部４４から突き出す様に取り付けられる。円弧状開口部４３の端部４３ａ，４３ｂと、円弧状開口部４４の端部４４ａ，４４ｂは、共に半円形状に形成されている。図４は、回転操作体４０が操作されず、ねじりバネ４８によって原点位置へと復帰された状態を示している。回転操作体４０は、原点位置に復帰すると、図示の様に、円弧状開口部４３の右上端部４３ａに対して上部右側の受け部３６の円弧状壁部３６ｂの外側面が当接し、円弧状開口部４４の左下端部４３ａに対して下側の受け部３７の円弧状壁部３７ｂの外側面が当接した状態となる。遊技者が、回転操作体４０をＲ方向に操作すると、仕切板４５も回転操作体４０と共に矢印Ｒ１で示す方向へと回転する。回転操作体４０は、円弧状開口部４３の左下端部４３ｂに対して上部左側の受け部３６に嵌合されるボス部５６の外面が当接すると共に、円弧状開口部４４の右上端部４４ｂに対して受け部３７に対して嵌合されるボス部５７の外面が当接すると、Ｒ方向へはそれ以上回転できなくなる。この様に、円弧状開口部４３，４４は、その端部に対し、受け部３６，３７の外面を当接させ、または受け部３５，３７に嵌合されるボス部５５，５７の外面を当接させることによって回転操作体４０の回動範囲を規制している。
【００２７】
カバー体５０は、図２，図５に示す様に、前カバー５１とインナーベース５２との間に意匠体５３，５４を組み込む様にして組み立てられる。前カバー５１は、透明な合成樹脂成形体によって構成され、内部に組み付けられた意匠体５３を外から視認可能となっている。前カバー５１とインナーベース５２の間に組み込まれる意匠体５３，５４としては、例えば、前側の意匠体５３は絵柄を印刷したシール部材とし、後ろ側の意匠体５４をレンズ体及びＬＥＤ基板として、前側の意匠体５３を後方から照らして色を変化させる演出も可能に構成することができる。
【００２８】
インナーベース５２は、平板状部５２ａから後方に向かって伸びるリング状の縁部５２ｂを備えている。リング状の縁部５２ｂは、前カバー５１の後端部内面に嵌り込む寸法とされ、上側にに３個の挿通孔５２ｃ〜５２ｅを備えている。前カバー５１には、インナーベース５２を嵌り込ませて組み付け位置に位置させたときに、インナーベース５２側の各挿通孔５２ｃ〜５２ｅと合致する３個の挿通孔５１ｃ〜５１ｅを備えている。
【００２９】
この様にして前カバー５１の挿通孔５１ｃ〜５１ｅと、インナーベース５２の挿通孔５２ｃ〜５２ｅとを合致させた後、図６（Ａ）〜（Ｄ）に示す様に、固定部材６０を用いて、前カバー５１とインナーベース５２とを一体化する。固定部材６０は、全体として円弧状の本体部６１と、本体部６１の上縁から上方に向かって突出する３個の爪部６２ｃ〜６２ｅと、本体部６１の上縁において爪部の間で下方に窪む半円形の切り欠き部６５，６６とを備える板状の部材で構成されている。
【００３０】
この様にして前カバー５１の挿通孔５１ｃ〜５１ｅと、インナーベース５２の挿通孔５２ｃ〜５２ｅとを合致させた後、図６（Ａ）〜（Ｄ）に示す様に、固定部材６０を用いて、前カバー５１とインナーベース５２とを一体化する。
【００３１】
ここで、固定部材６１は、全体として円弧状の本体部６１と、本体部６１の上縁から上方に向かって突出する３個の爪部６２ｃ〜６２ｅと、本体部６１の上縁において爪部の間で下方に窪む半円形の切り欠き部６５，６６とを備える板状の部材で構成されている。固定部材６０の３個の爪部６２ｃ〜６２ｅは、前述の様に合致させた挿通孔５１ｃ，５２ｃ〜５１ｅ，５２ｅを同時に刺し通すことができる様に構成されている。また、このとき、切り欠き部６５，６６が、ボス部５５，５６の下面に当接する。本実施例においては、固定部材６１の板厚を挿通孔５１ｃ，５２ｃ〜５１ｅ，５２ｅの溝幅と対応させ、刺し通したときに嵌合する寸法とし、一旦嵌合させたら、はずれることがない様に設計されている。こうして前カバー５１とインナーベース５２とを、上部について固定部材６０を用いて一体化させた後、図６（Ｅ）に示す様に、下部についてはビスｂｓ３による一体化を行う。
【００３２】
インナーベース５２には、さらに、、図５（Ａ），（Ｃ），図６（Ａ），（Ｂ），及び図７に示す様に、ハンドル基部２０の受け部３５〜３７と対応する位置に、３個のボス部５５〜５７が備えられている。各ボス部５５〜５７には、図７の拡大断面図等に示す様に、ビス孔５５ａ〜５７ａと、係止部５５ｃ〜５７ｃとが備えられている。各係止部５５ｃ〜５７ｃは、周方向に対して同じ方向に突出する様に設けられている。また、受け部３５，３７に対応するボス部５５，５７には、係止部５５ｃ，５７ｃの根元に、円弧状壁部３５ｂ，３７ｂの周方向の端部に当接し得る段部５５ｂ，５７ｂも形成されている。
【００３３】
上述の様にして固定部材６０によって一体化されたカバー体５０は、図８（Ａ），（Ｂ）に示す様に、ハンドル基部２０に対して、回転操作体４０の前面側を塞ぐ様に取り付けられる。この際、ハンドル基部２０の上側の受け部３５と３６の間に上側のボス部５５が位置する様に矢印Ａの方向からカバー体５０を装着する。次に、回転操作体４０の回動中心軸に対してカバー体５０とハンドル基部２０とを矢印Ｂで示す様に周方向相対的に回動させる。すると、図８（Ｃ）に示す様に、ボス部側の係止部５５ｃ〜５７ｃが受け部側の開口部３５ｃ〜３７ｃに差し込まれていく。そして、段部５５ｂ，５７ｂが円弧状壁部３５ｂ，３７ｂの端部に当接したところで回転しなくなる。この回転しなくなった状態が、受け部側のビス孔３５ａ〜３７ａとボス部側のビス孔５５ａ〜５７ｃとを一致させた状態となる様に、段部５５ｂ，５７ｂの張り出し位置と円弧状壁部３５ｂ，３７ｂの端部位置とが設定されている。こうして受け部側のビス孔３５ａ〜３７ａとボス部側のビス孔５５ａ〜５７ａとを一致させた上で、拡大部２２の裏面側に開口する受け部３５〜３７の裏側開口部３５ｄ〜３７ｄから、ビスｂｓ４を用いてビス止めすることにより、カバー体５０をハンドル基部２０に対して固定する。なお、分解の際には、３本のビスｂｓ４を全て取り外した後、矢印Ｂと反対の方向へカバー体５０を回転させると、受け部３５と３６の間に位置させたボス部５５が受け部３６の円弧状壁部３６ｂの外面に当接したところで止まる。この状態において、各ボス部５５〜５７の係止部５５ｃ〜５７ｃが各受け部３５〜３７の開口部３５ｃ〜３７ｃから確実に抜け出した状態となる様に、上側の受け部３５と３６の間隔が設定されている。従って、矢印Ｂの反対方向へと回転させて停止したときは、係止部５５ｃ〜５７ｃが開口部３５ｃ〜３７ｃから確実に抜け出しており、矢印Ａの反対方向へとカバー体５０を抜き取ることができる。
【００３４】
［３  実施例の作用・効果］
本実施例のパチンコ機Ｐは、前面枠（中枠Ｂの右下下部）に固定されるハンドル基部２０の前端部に回動可能に組み付けた回転操作体４０の前面側を塞ぐカバー体５０を取り付けた発射ハンドル１０を備え、カバー体５０は、回転操作体４０側に、回転操作体４０の回動中心軸を横切る方向に伸びる平板状部（インナーベース５２の平板状部５２ａ）を備えている。
【００３５】
この結果、カバー体５０と回転操作体４０との間にコイン等を挿入されても、平板状部５２ａが垂直方向の変形に抵抗するからカバー体５０の変形が生じ難く、カバー体５０が外れてしまうことがない。
【００３６】
本実施例の発明のパチンコ機Ｐは、さらに、カバー体５０が、平板状部５２ａから前方に向かって膨出する膨出部（前カバー５１）を備えているから、遊技者は前カバー５１に手の平を当てることで回転操作体４０の操作を安定させることができる。本実施例では、さらに、前カバー５１を透明合成樹脂製として、インナーカバー５２との間に意匠体５３，５４を収納しているから、意匠的な装飾が可能であると共に、意匠体５３，５４を取り換えれば、発射ハンドル１０としての主要な構成を変更することなく意匠の変更が可能である。
【００３７】
また、本実施例は、カバー体５０を、合成樹脂成形によってお椀型に形成した前カバー５１と、合成樹脂成形によって平板状部５２ａから後方に向かって伸びる縁部５２ｂを備えるインナーベース５２とを固定部材６０で一体化させる構成であるから、原材料を節約し、成形上の難易度上昇を招くことなく遊技者が手をあてがう膨出部を備えることができる。なお、意匠体５４としてＬＥＤ基板を封入する様にすれば、照明による装飾や演出を発射ハンドル１０に対して施すこともできる。
【００３８】
さらに、本実施例では、平板状部５２ａは周縁に前カバー５１の後端部内面に嵌り込ませる縁部５２ｂを備えるインナーベース５２に形成され、インナーベース５２の縁部５２ｂと前カバー５１の後端部のそれぞれに、インナーベース５２と前カバー５１とを組み付け位置に位置させたときに互いに合致する挿通孔５１ｃ，５２ｃ〜５１ｅ，５２ｅが形成され、インナーベース５２及び前カバー５１は、合致させられた挿通孔同士を挿通する様に刺し通す固定部材６０によって固定されている。
【００３９】
従って、前カバー５１はお椀型であるが、後端部内面に嵌り込んだインナーベース５２が平板状部５２ａを有するから、コイン挟み等による前カバー５１の変形も抑制することができる。加えて、仮に、前カバー５１に対して大きな負荷が加わっても、固定部材６０にはこの種の負荷による変形が生じ難く、前カバー５１の脱落を防止することができる。また、固定部材６０を、組み付け位置において合致させた挿通孔同士に対して刺し通す様に挿通させることは、この種の負荷による前カバー５１の変形を防止する作用を発揮することにもなる。
【００４０】
特に、インナーベース５２と前カバー５１とを組み付け位置に回動させることによって合致する挿通孔５１ｃ，５２ｃ〜５１ｅ，５２ｅを周方向所定範囲に渡って複数個間隔をあけて備えさせ、固定部材６０には、複数個の挿通孔５１ｃ，５２ｃ〜５１ｅ，５２ｅに同時に刺し通し得る複数個の爪部６２ｃ〜６２ｅを備えさせているから、上述した固定部材６０による前カバー５１の変形防止及び脱落防止の作用を一層高めることができる。
【００４１】
また、インナーベース５２において縁部５２ｂが平板状部５２ａから後方に向かって伸びる様に形成され、挿通孔５１ｃ，５２ｃ〜５１ｅ，５２ｅは、平板状部５２ａの後ろ側で合致される様にインナーベース５２及び前カバー５１に形成され、固定部材６０は、外に凸の円弧状部（本体部６１）から外に向かって突出する様に挿通孔５１ｃ，５２ｃ〜５１ｅ，５２ｅに対応する爪部６２ｃ〜６２ｅを備えている。
【００４２】
この結果、前カバー５１に対してインナーベース５２を嵌め込んで組み付け位置に回動させ、平板状部５２ａの後ろ側で中心側から外に向かってスライドさせることによってカンヌキを刺す様に固定部材６０で固定することができる。
【００４３】
特に、本実施例では、爪部６２ｃ〜６２ｅを板状体として形成すると共に、挿通孔挿通孔５１ｃ，５２ｃ〜５１ｅ，５２ｅをスリット溝として形成し、爪部６２ｃ〜６２ｅが挿通孔５１ｃ，５２ｃ〜５１ｅ，５２ｅに挿通したときに嵌合した状態となる様に、板状体の厚さとスリット溝の溝幅が設定されているから、固定部材６０による固定を確実なものとすることができる。
【００４４】
なお、挿通孔５１ｃ，５２ｃ〜５１ｅ，５２ｅに爪部６２ｃ〜６２ｅを挿通させた固定部材６０をインナーベース５２に対してビスやピンで固定したり、接着や溶着によって固定する様にしてもよい。
【００４５】
また、本実施例では、前カバー５１とインナーベース５２とを、上部において複数個の挿通孔５１ｃ，５２ｃ〜５１ｅ，５２ｅに固定部材６０の爪部６２ｃ〜６２ｅを挿通させた固定方式を採用すると共に、反対側の下部についてはビスｂｓ３によるネジ止め固定方式としている。ネジ止めによって周方向への回動を防止するので、固定部材６０によるカンヌキ刺しによる固定のための挿通孔５１ｃ，５２ｃ〜５１ｅ，５２ｅの周方向長さ等に遊びを持たせ易くなる。これにより、平板状部材５２ａと前カバー５１とをカンヌキ刺しすることによる変形防止を図りつつ、成形精度や組み立て作業に関する制約を緩和することができる。
【００４６】
また、本実施例のパチンコ機Ｐは、前面枠（中枠Ｂの右下下部）に固定されるハンドル基部２０の前端部に回動可能に組み付けた回転操作体４０の前面側を塞ぐカバー体５０を取り付けた発射ハンドル１０を備え、ハンドル基部１０に備えられた受け部３５〜３７に対し、カバー体５０に備えられたボス部５５〜５７とをビス孔３５ａ，５５ａ〜３７ａ，５７ａを一致させる様に位置決めした状態で受け部３５〜３７とボス部５５〜５７とを固定部材（ビスｂｓ４）で固定することにより、ハンドル基部２０に対するカバー体５０の取り付けを行っている。しかも、受け部３５〜３７は所定方向に貫通する開口部３５ｃ〜３７ｃを備え、ボス部５５〜５７は所定方向に突出する係止部５５ｃ〜５７ｃを備え、カバー体５０とハンドル基部２０とを相対的に回動させることにより、開口部３５ｃ〜３７ｃと係止部５５ｃ〜５７ｃとを係合させつつ受け部３５〜３７に対してボス部５５〜５７の位置決めを行い得る様に構成している。
【００４７】
この結果、カバー体５０とハンドル基部２０とは、相対的な回動により、係止部５５ｃ〜５７ｃを開口部３５ｃ〜３７ｃに係合させて位置決め状態とし、ビスｂｓ４による固定を行うから、ビスｂｓ４に緩みが生じたとしても、係止部５５ｃ〜５７ｃと開口部３５ｃ〜３７ｃとの係合により、ボス部５５〜５７が受け部３５〜３７から抜けてしまうことがなく、カバー体５０の脱落を有効に防止することができる。
【００４８】
特に、本実施例のパチンコ機Ｐにおいては、開口部３５ｃ〜３７ｃは円弧状壁部３５ｂ〜３７ｂによって四方を取り囲まれた「ロ」の字形のスリット溝として開口されている。これにより、係止部５５ｃ〜５７ｃは開口部３５ｃ〜３７ｃに刺さる様な係合状態となる。従って、ビスｂｓ４が緩んでカバー体５０に横方向のズレを生じさせる様な力が加わったとしても、係合が外れ難く、上述のカバー体脱落防止作用をより確実に発揮することができる。
【００４９】
本実施例のパチンコ機Ｐにおいては、さらに、ハンドル基部２０には受け部３５〜３７が複数個備えられ、カバー体５０にはボス部５５〜５７が複数個備えられると共に、各受け部３５〜３７はハンドル基部２０の周方向に対して同じ方向に向かって開いた円弧状壁部３５ｂ〜３７ｂを有すると共に、円弧状壁部３５ｂ〜３７ｂに開口部３５ｃ〜３７ｃが形成され、各ボス部５５〜５７には、円弧状壁部３５ｂ〜３７ｂの開いた方向に対向して周方向に対して同じ方向に突出する様に係止部５５ｃ〜５７ｃが備えられている。
【００５０】
この様に、複数個の受け部３５〜３７と複数個のボス部５５〜５７とを備えるから、カバー体５０とハンドル基部２０とを周方向複数箇所で固定することができる。また、各受け部３５〜３７はハンドル基部２０の周方向に対して同じ方向に開いた円弧状壁部３５ｂ〜３７ｂを備え、各ボス部５５〜５７は円弧状壁部３５ｂ〜３７ｂの開いた方向に対向して周方向に対して同じ方向に突出する様に係止部３５ｃ〜３７ｃが形成されているから、ハンドル基部２０とカバー体５０とを相対的に回動させるだけで複数箇所での開口部３５ｃ〜３７ｃと係止部５５ｃ〜５７ｃとの係合を行わせることができる。
【００５１】
そして、さらに、本発明のパチンコ機Ｐにおいては、複数個のボス部５５〜５７の内の上部の一方のボス部５５及び下部のボス部５７は、係止部５５ｃ，５７ｃの根元に円弧状壁部３５ｂ，３７ｂの周方向の端部に当接し得る段部５５ｂ，５７ｂを備えている。これにより、上部と下部で、円弧状壁部３５ｂ，３７ｂの端部に段部５５ｂ，５７ｂを当接させることにより、位置決めを容易かつ正確に実施することができる。
【００５２】
以上説明した様に、本実施例によれば、発射ハンドル１０のカバー体５０の変形や外れといった不具合を低減することができる。
【００５３】
以上、発明を実施するための最良の形態としての実施例を説明したが、本発明は、これに限定されるものではなく、その要旨を逸脱しない範囲内における種々の変更が可能である。
【００５４】
例えば、インナーベース５２の前方に前カバー５１を取り付ける代わりに、インナーベース５２の平板状部５２ａの前方に瘤状の膨出部を一体に成形したものとしてもよい。また、前カバー５１とインナーベース５２との間に意匠体５３，５４を封入して装飾を施す代わりに、前カバー５１自体に装飾模様を備えさせても構わない。
【産業上の利用可能性】
【００５５】
本発明はパチンコ機に利用することができる。
【符号の説明】
【００５６】
１・・・遊技盤、２Ａ，２Ｂ・・・可動体役物、３・・・裏ユニット、１０・・・発射ハンドル、２０・・・ハンドル基部、２１・・・円筒部、２２・・・拡大部、２３・・・可変抵抗器、２３ａ・・・ボリューム軸、２４・・・裏当てプレート、２５・・・操作片、２６・・・Ｌ字金具、２７・・・アース線、２８・・・カバー部材、３１・・・円形孔、３２・・・硬質ゴム部品、３３・・・平ワッシャ、３４・・・締め付けナット、３５〜３７・・・受け部、３５ａ〜３７ａ・・・ビス孔、３５ｂ〜３７ｂ・・・円弧状壁部、３５ｃ〜３７ｃ・・・開口部、３５ｄ〜３７ｄ・・・裏側開口部、３８・・・ねじりバネ固定軸、４０・・・回転操作体、４１ａ〜４１ｃ・・・指掛け部、４２・・・リング状部材、４３，４４・・・円弧状開口部、４５・・・仕切板、４６・・・ボリューム軸嵌合部、４７・・・内側開口部、４８・・・ねじりバネ、５０・・・カバー体、５１・・・前カバー、５２・・・インナーベース、５１ｃ〜５１ｅ・・・挿通孔、５２ａ・・・平板状部、５２ｂ・・・縁部、５２ｃ〜５２ｅ・・・挿通孔、５３・・・意匠体、５４・・・意匠体、５５〜５７・・・ボス部、５５ａ〜５７ａ・・・ビス孔、５５ｂ，５７ｂ・・・段部、５５ｃ〜５７ｃ・・・係止部、６０・・・固定部材、６１・・・本体部、６２ｃ〜６２ｅ・・・爪部、６５，６６・・・切り欠き部、  Ｐ・・・パチンコ機、Ａ・・・外枠、Ｂ・・・中枠、Ｄ・・・前枠、Ｅ・・・上の球受け皿、Ｆ・・・下の球受け皿、Ｇ・・・打球発射装置、Ｈ・・・施錠装置、ＬＣＤ・・・液晶表示装置、ＳＥ・・・タッチ感知センサ、ＳＷ・・・発射停止スイッチ、ｂｓ１〜ｂｓ４・・・ビス。
【図１】
2017055900.tif 000003
【図２】
2017055900.tif 000004
【図３】
2017055900.tif 000005
【図４】
2017055900.tif 000006
【図５】
2017055900.tif 000007
【図６】
2017055900.tif 000008
【図７】
2017055900.tif 000009
【図８】
2017055900.tif 000010